(57)【要約】【課題】太陽電池セルの実装方向の判別を容易にするとともに、太陽電池セルの実装時の位置精度を高める。【解決手段】太陽電池セル１ａは、受光面とは反対側に、基板に実装される実装面を有している。この実装面側のシリコン基板２ａに、Ｐ＋拡散層５ａおよびＮ＋拡散層６ａを１組以上形成する。拡散層５ａには正電極が接続されるとともに、Ｎ＋拡散層６ａには負電極が接続されることにより、これらの正電極および負電極から太陽電池セル１ａから電力が取り出される。Ｐ＋拡散層５ａおよびＮ＋拡散層６ａは、太陽電池セル１ａの長手方向の一方側に全体に屈曲して形成されている。その屈曲する方向によって、太陽電池セル１ａの実装方向を判別することができる。【選択図】図２
2011151305.tif 000002
【特許請求の範囲】
【請求項１】
１組以上のＰ＋拡散層およびＮ＋拡散層を受光面とは反対側に有する太陽電池であって、
前記Ｐ＋拡散層および前記Ｎ＋拡散層の少なくとも一方が太陽電池の実装方向を特定する形状に形成されていることを特徴とする太陽電池。
【請求項２】
複数組の前記Ｐ＋拡散層および前記Ｎ＋拡散層を備え、前記Ｐ＋拡散層および前記Ｎ＋拡散層の全てが前記実装方向を特定する形状に形成されていることを特徴とする請求項１に記載の太陽電池。
【請求項３】
前記形状に形成される前記Ｐ＋拡散層および前記Ｎ＋拡散層が、前記実装方向の一方に向かって曲がるように形成されていることを特徴とする請求項１または２に記載の太陽電池。
【請求項４】
前記形状に形成される前記Ｐ＋拡散層および前記Ｎ＋拡散層の少なくとも一方が、それぞれを示すマークを有していることを特徴とする請求項１または２に記載の太陽電池。
【請求項５】
１組以上のＰ＋拡散層およびＮ＋拡散層を受光面とは反対側に有する太陽電池であって、
前記Ｐ＋拡散層と前記Ｎ＋拡散層とが互いに異なる形状に形成されていることを特徴とする太陽電池。
【請求項６】
１組以上の正電極および負電極を受光面とは反対側に有する太陽電池であって、
前記正電極および前記負電極の少なくとも一方が太陽電池の実装方向を特定する形状に形成されていることを特徴とする太陽電池。
【請求項７】
複数組の前記正電極および前記負電極を備え、前記正電極および前記負電極の全てが太陽電池の実装方向を特定する形状に形成されていることを特徴とする請求項６に記載の太陽電池。
【請求項８】
前記形状に形成される前記正電極および前記負電極が、前記実装方向の一方に向かって曲がるように形成されていることを特徴とする請求項６または７に記載の太陽電池。
【請求項９】
前記形状に形成される前記正電極および前記負電極の少なくとも一方が、それぞれを示すマークを有していることを特徴とする請求項６または７に記載の太陽電池。
【請求項１０】
１組以上の正電極および負電極を受光面とは反対側に有する太陽電池であって、
前記正電極と前記負電極とが互いに異なる形状に形成されていることを特徴とする太陽電池。
【請求項１１】
１組以上のＰ＋拡散層およびＮ＋拡散層を受光面とは反対側に有する太陽電池であって、
前記Ｐ＋拡散層および前記Ｎ＋拡散層上に形成されたパッシベーション層が太陽電池の実装方向を特定する形状に形成されていることを特徴とする太陽電池。
【請求項１２】
前記パッシベーション層に前記実装方向を特定するマークが形成されていることを特徴とする請求項１１に記載の太陽電池。
【請求項１３】
前記パッシベーション層に、前記Ｐ＋拡散層上に正電極を形成するための第１開口部と
、前記Ｎ＋拡散層上に負電極を形成するための第２開口部とが形成され、
前記第１開口部と前記第２開口部とが形状または大きさの少なくとも１つが互いに異なることを特徴とする請求項１１に記載の太陽電池。
【請求項１４】
請求項１から１３のいずれか１項に記載の太陽電池を複数備えていることを特徴とする電気部品。
【請求項１５】
請求項１４に記載の電気部品を搭載していることを特徴とする電子機器。
【発明の詳細な説明】
【技術分野】
【０００１】
本発明は、基板への実装を正しく行うことができる太陽電池ならびにこれを搭載した電気部品および電子機器に関するものである。
【背景技術】
【０００２】
近年、省エネルギーと創エネルギーとの観点より太陽光発電が注目を集めており、住宅向けの民生用太陽光発電システムなどが普及しつつある。また、大型であり設置タイプの太陽光発電システム以外にも、携帯電話等に搭載可能な太陽電池モジュールや、小型で携帯可能な太陽光発電システムが登場している。特許文献１には、太陽電池モジュールの一例が記載されている。
【０００３】
ところで、従来の半導体部品においては、チップ等の方向を正確に認識して基板へ搭載する方向を間違えないようにするために、また、基板上の正確な位置にチップ等を実装するために、目印となるマーク等が設けられている。前記従来のチップ等と同様に、受光面側に電極を設けた太陽電池ウェハや太陽電池セルにおいては、前記の受光面側電極のデザインを変更することにより、発電効率の低下なしに、ウェハやセルの方向や位置を確定して正確に実装が可能である。
【０００４】
しかしながら、裏面に正極および負極の両極を有する太陽電池ウェハや太陽電池セルにおいては、受光面側に目印を設けた場合には発電効率が低下するため、受光面側に目印を設ける事は望ましくない。また、目印が無ければ、ウェハやセルの実装方向を正極と負極とで逆にしてしまっても外観上の差異がないので、単ウェハや単セルの場合には無論動作しない。さらに、多数のウェハやセルを接続してある場合では、逆電流が発生し、正しい方向に接続してあるウェハやセルの発電の妨げとなる。特許文献２には、外観上で正極と負極とで差異のない従来のウェハの例が記載されている。
【先行技術文献】
【特許文献】
【０００５】
【特許文献１】特開２００９−１８２２４４号公報（２００９年８月１３日公開）
【特許文献２】特開２００６−１２０９４４号公報（２００６年５月１１日公開）
【発明の概要】
【発明が解決しようとする課題】
【０００６】
図２５の（ａ）は従来の太陽電池セル１０１の受光面１０２を示し、図２５の（ｂ）は当該太陽電池セル１０１の受光面１０２の逆側となる実装面１０３を示す。
【０００７】
この太陽電池セル１０１では、図２５の（ｂ）に示すように、パッシベーション層からなる実装面１０３下には、Ｐ＋拡散層１０４およびＮ＋拡散層１０５が形成されている。また、Ｐ＋拡散層１０４およびＮ＋拡散層１０５上には、それぞれパッシベーション層上に現れるように正電極１０６および負電極１０７が形成されている。正電極１０６および負電極１０７が、例えば半田や導電性ペーストを用いて基板等の電極にされることで、正電極１０６および負電極１０７からの電力が取り出される。
【０００８】
受光面１０２側には目印がないため、実装時には、太陽電池セル１０１の外周形状や実装面１０３側の正電極１０６および負電極１０７を基準にして位置を決めする。このとき、外周形状や電極がカメラによって認識される。しかしながら、太陽電池１０１は、外周形状が長方形をなしており、正電極１０６および負電極１０７が例えば図２５の（ｂ）に
示した様に交互に配置されている。したがって、このような従来の太陽電池セル１０１は、作業者のミスによって実装方向が逆になった場合、外観上では形状やデザインの差異はない。
【０００９】
このような場合、正電極１０６と負電極１０７との位置が入れ替わるので、太陽電池セル１０１が、外観上、正しい方向に向いていることを認識できない。そのため、作業者は、太陽電池セル１０１の方向が逆になっていても（図２５の（ａ）および（ｂ）において上下で１８０°入れ替わっていても）、そのことを気付かずにそのまま太陽電池セル１０１を実装してしまう。
【００１０】
電球のように電流の流れる方向に依存しない部品であれば、正電極と負電極とが入れ替わっていても、正常に動作させることができる。しかしながら、太陽電池セル１０１を１個しか有しないモジュールでは、太陽電池セル１０１の方向が逆になっている場合、正電極１０６と負電極１０７とが入れ替わっているために、前記モジュールを電子機器等に接続しても動作させることができない。
【００１１】
また、多数の太陽電池セル１０１によって構成される太陽電池モジュールにおいては、例えば１０個中１個の太陽電池セル１０１において正電極１０６と負電極１０７との位置が入れ替わっている場合、９個の太陽電池セル１０１が順方向に電流を流そうとし、１個の太陽電池セル１０１が逆方向に電流を流そうとする。このため、全体で流れる電流は１０個のセルが正しい方向に接続されている場合の（９−１）/１０となり発電効率は大き
く低下する。
【００１２】
本発明は上記の問題点に鑑みてなされたものであり、その目的は、太陽電池セルの実装方向の判別を容易にするとともに、太陽電池セルの実装時の位置精度を高めることにある。
【課題を解決するための手段】
【００１３】
本発明に係る太陽電池は、上記課題を解決するために、１組以上のＰ＋拡散層およびＮ＋拡散層を受光面とは反対側に有する太陽電池であって、前記Ｐ＋拡散層および前記Ｎ＋拡散層の少なくとも一方が太陽電池の実装方向を特定する形状に形成されていることを特徴としている。
【００１４】
上記の構成によれば、Ｐ＋拡散層およびＮ＋拡散層の少なくとも一方が太陽電池の実装方向を特定する形状に形成されているので、Ｐ＋拡散層およびＮ＋拡散層の形状により実装方向を判定することができる。しかも、Ｐ＋拡散層およびＮ＋拡散層の両方がそのような形状に形成されることにより、Ｐ＋拡散層またはＮ＋拡散層の一方のみがそのような形状に形成される場合と比べて、Ｐ＋拡散層またはＮ＋拡散層のいずれか一方を見るだけで実装方向を判別することができる。それゆえ、より正確に実装方向を判別することができる。
【００１５】
前記太陽電池は、複数組の前記Ｐ＋拡散層および前記Ｎ＋拡散層を備え、前記Ｐ＋拡散層および前記Ｎ＋拡散層の全てが前記実装方向を特定する形状に形成されていることが好ましい。
【００１６】
上記の構成によれば、複数組のＰ＋拡散層およびＮ＋拡散層で構成される全ての拡散層のうちの１つの拡散層だけしか認識できなくとも、確実に実装方向を判別することができる。
【００１７】
前記太陽電池は、前記形状に形成される前記Ｐ＋拡散層および前記Ｎ＋拡散層が、前記
実装方向の一方に向かって曲がるように形成されていることが好ましい。
【００１８】
上記の構成によれば、Ｐ＋拡散層およびＮ＋拡散層が曲がる方向で実装方向を判別することができる。
【００１９】
前記太陽電池は、前記形状に形成される前記Ｐ＋拡散層および前記Ｎ＋拡散層の少なくとも一方が、それぞれを示すマークを有していることが好ましい。
【００２０】
上記の構成では、マークの存在やマークの形状等により、実装方向を判別することができる。
【００２１】
本発明に係る太陽電池は、上記の課題を解決するために、１組以上のＰ＋拡散層およびＮ＋拡散層を受光面とは反対側に有する太陽電池であって、前記Ｐ＋拡散層と前記Ｎ＋拡散層とが互いに異なる形状に形成されていることを特徴としている。
【００２２】
上記の構成によれば、Ｐ＋拡散層の形状とＮ＋拡散層の形状とが互いに異なるので、その相違によって実装方向を判別することができる。
【００２３】
本発明に係る太陽電池は、上記の課題を解決するために、１組以上の正電極および負電極を受光面とは反対側に有する太陽電池であって、前記正電極および前記負電極の少なくとも一方が太陽電池の実装方向を特定する形状に形成されていることを特徴としている。
【００２４】
上記の構成によれば、正電極および負電極の少なくとも一方が太陽電池の実装方向を特定する形状に形成されているので、正電極および負電極の形状により実装方向を判定することができる。しかも、正電極および負電極の両方がそのような形状に形成されることにより、正電極または負電極の一方のみがそのような形状に形成される場合と比べて、正電極または負電極のいずれか一方を見るだけで実装方向を判別することができる。それゆえ、より正確に実装方向を判別することができる。
【００２５】
前記太陽電池は、複数組の前記正電極および前記負電極を備え、前記正電極および前記負電極の全てが太陽電池の実装方向を特定する形状に形成されていることが好ましい。
【００２６】
上記の構成によれば、複数組の正電極および負電極で構成される全ての電極のうちの１つの電極だけしか認識できなくとも、確実に実装方向を判別することができる。
【００２７】
前記太陽電池は、前記形状に形成される前記正電極および前記負電極が、前記実装方向の一方に向かって曲がるように形成されていることが好ましい。
【００２８】
上記の構成によれば、正電極および負電極が曲がる方向で実装方向を判別することができる。
【００２９】
前記太陽電池は、前記形状に形成される前記正電極および前記負電極の少なくとも一方が、それぞれを示すマークを有していることが好ましい。
【００３０】
上記の構成では、マークの存在やマークの形状等により、実装方向を判別することができる。
【００３１】
本発明に係る太陽電池は、上記の課題を解決するために、１組以上の正電極および負電極を受光面とは反対側に有する太陽電池であって、前記正電極と前記負電極とが互いに異なる形状に形成されていることを特徴としている。
【００３２】
上記の構成によれば、正電極の形状と負電極の形状とが互いに異なるので、その相違によって実装方向を判別することができる。
【００３３】
本発明に係る太陽電池は、上記の課題を解決するために、１組以上のＰ＋拡散層およびＮ＋拡散層を受光面とは反対側に有する太陽電池であって、前記Ｐ＋拡散層および前記Ｎ＋拡散層上に形成されたパッシベーション層が太陽電池の実装方向を特定する形状に形成されていることを特徴としている。
【００３４】
上記の構成によれば、パッシベーション層が太陽電池の実装方向を特定する形状に形成されているので、その形状により実装方向を判定することができる。
【００３５】
前記太陽電池は、前記パッシベーション層に前記実装方向を特定するマークが形成されていることが好ましい。
【００３６】
上記の構成では、マークの存在やマークの形状等により、実装方向を判別することができる。
【００３７】
前記太陽電池は、前記パッシベーション層に、前記Ｐ＋拡散層上に正電極を形成するための第１開口部と、前記Ｎ＋拡散層上に負電極を形成するための第２開口部とが形成され、前記第１開口部と前記第２開口部とが形状または大きさの少なくとも１つが互いに異なることが好ましい。
【００３８】
上記の構成では、第１開口部と第２開口部とで形状や大きさが異なるので、その相違によって実装方向を判別することができる。
【００３９】
本発明に係る電気部品は、前記のいずれかの太陽電池を複数備えていることを特徴としている。また、本発明に係る電子機器は、当該電気部品を搭載していることを特徴としている。
【００４０】
上記の構成によれば、前記のいずれかの太陽電池を備えることにより、実装方向が容易になるので、電気部品および電子機器の製造コストを低減することができる。
【発明の効果】
【００４１】
本発明に係る太陽電池は、以上のように、１組以上のＰ＋拡散層およびＮ＋拡散層を受光面とは反対側に有する太陽電池、もしくは１組以上の正電極および負電極を受光面とは反対側に有する太陽電池であって、前記Ｐ＋拡散層および前記Ｎ＋拡散層の少なくとも一方、もしくは前記正電極および前記負電極の少なくとも一方が太陽電池の実装方向を特定する形状に形成されている。これにより、実装方向を容易に判別することができる。したがって、太陽電池を基板に実装するときに太陽電池の方向を間違えることなく実装することができるという効果を奏する。
【００４２】
本発明の他の太陽電池は、１組以上のＰ＋拡散層およびＮ＋拡散層を受光面とは反対側に有する太陽電池、もくしは１組以上の正電極および負電極を受光面とは反対側に有する太陽電池であって、前記Ｐ＋拡散層と前記Ｎ＋拡散層とが互いに異なる形状に形成されているか、もくしは前記正電極と前記負電極とが互いに異なる形状に形成されている。これにより、実装方向を容易に判別することができる。したがって、太陽電池を基板に実装するときに太陽電池の方向を間違えることなく実装することができるという効果を奏する。しかも、正電極と負電極とが互いに異なる形状であることにより、両電極の位置が容易に特定されるので、太陽電池を位置精度良く基板に実装することができるという効果を奏す
る。
【図面の簡単な説明】
【００４３】
【図１】本発明の各実施の形態に共通する太陽電池セルの縦断面の構造を示す断面図である。
【図２】本発明の実施の形態１に係る第１の太陽電池セルの実装面側の構成を示す平面図である。
【図３】本発明の実施の形態１に係る第２の太陽電池セルの実装面側の構成を示す平面図である。
【図４】本発明の実施の形態１に係る第３の太陽電池セルの実装面側の構成を示す平面図である。
【図５】本発明の実施の形態１に係る第４の太陽電池セルの実装面側の構成を示す平面図である。
【図６】本発明の実施の形態１に係る第５の太陽電池セルの実装面側の構成を示す平面図である。
【図７】本発明の実施の形態１に係る第６の太陽電池セルの実装面側の構成を示す平面図である。
【図８】本発明の実施の形態１に係る第７の太陽電池セルの実装面側の構成を示す平面図である。
【図９】本発明の実施の形態１に係る第８の太陽電池セルの実装面側の構成を示す平面図である。
【図１０】本発明の実施の形態２に係る第９の太陽電池セルの実装面側の構成を示す平面図である。
【図１１】本発明の実施の形態２に係る第１０の太陽電池セルの実装面側の構成を示す平面図である。
【図１２】本発明の実施の形態２に係る第１１の太陽電池セルの実装面側の構成を示す平面図である。
【図１３】本発明の実施の形態２に係る第１２の太陽電池セルの実装面側の構成を示す平面図である。
【図１４】本発明の実施の形態２に係る第１３の太陽電池セルの実装面側の構成を示す平面図である。
【図１５】本発明の実施の形態２に係る第１４の太陽電池セルの実装面側の構成を示す平面図である。
【図１６】本発明の実施の形態２に係る第１５の太陽電池セルの実装面側の構成を示す平面図である。
【図１７】本発明の実施の形態２に係る第１６の太陽電池セルの実装面側の構成を示す平面図である。
【図１８】本発明の実施の形態２に係る第１７の太陽電池セルの実装面側の構成を示す平面図である。
【図１９】本発明の実施の形態２に係る第１８の太陽電池セルの実装面側の構成を示す平面図である。
【図２０】本発明の実施の形態２に係る第１９の太陽電池セルの実装面側の構成を示す平面図である。
【図２１】本発明の実施の形態３に係る第２０の太陽電池セルの実装面側の構成を示す平面図である。
【図２２】（ａ）は本発明の実施の形態４に係る太陽電池モジュールの構成を示す平面図であり、（ｂ）は上記太陽電池モジュールのＡ−Ａ線矢視断面図であり、（ｃ）は上記太陽電池モジュールのＢ−Ｂ線矢視断面図である。
【図２３】（ａ）は本発明の実施の形態４に係る携帯電話の構成を示す上面図であり、（ｂ）は上記携帯電話の構成を示す裏面図であり、（ｃ）は上記携帯電話の構成を示す側面図である。
【図２４】（ａ）は上記携帯電話が開いた状態を示す側面図であり、（ｂ）は上記携帯電話の構成を示す裏面図であり、（ｃ）は上記携帯電話がさらに開いた状態を示す側面図である。
【図２５】（ａ）は従来の太陽電池セルの受光面の構成を示す平面図であり、（ｂ）は従来の太陽電池セルの実装面の構成を示す平面図である。
【発明を実施するための形態】
【００４４】
〔太陽電池セルの構造〕
図１は、太陽電池セル１の縦断面の構造を示している。
【００４５】
まず、後述する各実施形態の説明の前に、図１に基づいて、各実施形態に適用される太陽電池セル１の構造について説明する。
【００４６】
図１に示すように、太陽電池セル１は、シリコン基板２と、受光面３と、実装面４と、Ｐ＋拡散層５と、Ｎ＋拡散層６と、正電極７と、負電極８とを備えている。
【００４７】
Ｎ型のシリコン基板２の受光側には、パッシベーション層からなる受光面３が形成されている。また、シリコン基板２の裏面側（受光面３の反対側）には、パッシベーション層からなる実装面４が形成されている。シリコン基板２の実装面４側には、Ｐ＋拡散層５とＮ＋拡散層６とが所定の間隔をおいて形成されている。実装面４は、Ｐ＋拡散層５とＮ＋拡散層６とを覆うように形成されている。
【００４８】
この実装面４には、Ｐ＋拡散層５の一部を露出させるように開口部４１（第１開口部）が形成されるとともに、Ｎ＋拡散層６の一部を露出させるように開口部４２（第２開口部）が形成されている。そして、実装面４上には、Ｐ＋拡散層５の上方の開口部４１の周辺および当該開口部４１内に、Ｐ＋拡散層５に電気的に接触するように正電極７が形成されている。また、実装面４上には、Ｎ＋拡散層６の上方の開口部４２の周辺および当該開口部４２内に、Ｎ＋拡散層６に電気的に接触するように負電極８が形成されている。正電極７および負電極８は、例えば半田や導電性ペーストを用いて、図示しない基板等に実装される。
【００４９】
このように構成される太陽電池セル１においては、生成した電力が正電極７および負電極８から取り出される。また、受光面３には、発電効率の低下を招くような目印は形成されていない。
【００５０】
なお、太陽電池セル１は、受光面３側が、透明樹脂等の透光性の材料からなる保護層によって、保護されるように覆われていてもよい。
【００５１】
図１に示す太陽電池セル１は、図示の便宜上、１組の正電極７および負電極８を有する構成となっている。しかしながら、太陽電池セル１は、通常、正電極７および負電極８が複数組繰り返し配置される構成となる。
【００５２】
〔実施の形態１〕
本発明の一実施形態について図２〜図９に基づいて説明すると以下の通りである。図２〜図９は、第１〜第８の太陽電池セル１ａ〜１ｈの実装面側、より具体的には、上記の実装面４を構成するパッシベーション層が形成されていない状態を示している。また、図２〜図９に示すように、太陽電池セル１ａ〜１ｈは長方形を成している。
【００５３】
なお、以降の説明において、各太陽電池セル１ａ〜１ｈにおける各Ｐ＋拡散層５ａ〜５
ｈおよび各Ｎ＋拡散層６ａ〜６ｈについて共通して説明する場合、Ｐ＋拡散層５およびＮ＋拡散層６と称する。
【００５４】
図１に示すように、一般に、太陽電池セル１においては、異物付着等によりＰ＋拡散層５とＮ＋拡散層６とがショートするのを防ぐためにパッシベーション層（図１では実装面４を構成する）が形成される。しかしながら、このようなショートへの対策が不要であれば、パッシベーション層は必須ではない。また、太陽電池セル１が実装される基板が、セラミック基板等の高温でも耐えうる基板であれば、太陽電池セル１の基板への実装と、正電極７および負電極８として一般的な焼成Ａｇ電極を形成することとを併せて行うことが可能である。
【００５５】
そこで、本実施形態に係る各太陽電池セル１ａ〜１ｈは、実装面側にパッシベーション層が形成されない構造を含んでいる。
【００５６】
〈第１の太陽電池セル〉
図２に示すように、第１の太陽電池セル１ａは、シリコン基板２ａの実装面側に、複数のＰ＋拡散層５ａおよびＮ＋拡散層６ａが形成されている。このＰ＋拡散層５ａおよびＮ＋拡散層６ａは、太陽電池セル１ａの幅方向の両端に達し、且つ所定の間隔をおいて交互に並ぶように形成されている。また、Ｐ＋拡散層５ａおよびＮ＋拡散層６ａは、同一の幅となり、且つ太陽電池セル１ａの長手方向の一方側に向かって全体に屈曲することによりブーメラン形状をなすように形成されている。Ｐ＋拡散層５ａおよびＮ＋拡散層６ａは、太陽電池セル１ａの幅方向の中央部分で屈曲しているが、中央部分以外の位置で屈曲していてもよい。
【００５７】
上記の構成では、Ｐ＋拡散層５ａおよびＮ＋拡散層６ａの全てが屈曲しているので、その屈曲する方向によって、太陽電池セル１ａの実装方向を判別することができる。
【００５８】
なお、上記の構成では、Ｐ＋拡散層５ａおよびＮ＋拡散層６ａの全てが屈曲しているが、少なくとも１つのＰ＋拡散層５ａまたはＮ＋拡散層６ａが屈曲していて、他のＰ＋拡散層５ａまたはＮ＋拡散層６ａが均一な形状であっても、同様に太陽電池セル１ａの実装方向を判別することができる。
【００５９】
〈第２の太陽電池セル〉
図３に示すように、第２の太陽電池セル１ｂは、シリコン基板２ｂの実装面側に、複数のＰ＋拡散層５ｂおよびＮ＋拡散層６ｂが形成されている。このＰ＋拡散層５ｂおよびＮ＋拡散層６ｂは、太陽電池セル１ｂの幅方向の両端に達し、且つ所定の間隔をおいて交互に並ぶように形成されている。また、Ｐ＋拡散層５ｂおよびＮ＋拡散層６ｂは、同一の幅となり、且つ全体に太陽電池セル１ｂの長手方向の一方側に向かって湾曲するように形成されている。
【００６０】
上記の構成では、Ｐ＋拡散層５ｂおよびＮ＋拡散層６ｂの全てが湾曲しているので、その湾曲する方向によって、太陽電池セル１ｂの実装方向を判別することができる。
【００６１】
なお、上記の構成では、Ｐ＋拡散層５ｂおよびＮ＋拡散層６ｂの全てが湾曲しているが、少なくとも１つのＰ＋拡散層５ｂまたはＮ＋拡散層６ｂが湾曲していて、他のＰ＋拡散層５ｂまたはＮ＋拡散層６ｂが均一な形状であっても、同様に太陽電池セル１ｂの実装方向を判別することができる。
【００６２】
〈第３の太陽電池セル〉
図４に示すように、第３の太陽電池セル１ｃは、シリコン基板２ｃの実装面側に、複数
のＰ＋拡散層５ｃおよびＮ＋拡散層６ｃが形成されている。このＰ＋拡散層５ｃおよびＮ＋拡散層６ｃは、太陽電池セル１ｃの幅方向の両端に達し、且つ所定の間隔をおいて交互に並ぶように直線状に形成されている。また、Ｐ＋拡散層５ｃは、Ｎ＋拡散層６ｃより幅が広くなるように形成されている。あるいは、Ｐ＋拡散層５ｃが、Ｎ＋拡散層６ｃより幅が狭くなるように形成されていてもよい。
【００６３】
上記の構成では、Ｐ＋拡散層５ｃおよびＮ＋拡散層６ｃの幅が相違しているので、その相違によって、Ｐ＋拡散層５ｃとＮ＋拡散層６ｃとを識別することができる。したがって、その識別によって、太陽電池セル１ｃの実装方向を判別することができる。
【００６４】
〈第４の太陽電池セル〉
図５に示すように、第４の太陽電池セル１ｄは、シリコン基板２ｄの実装面側に、複数のＰ＋拡散層５ｄおよびＮ＋拡散層６ｄが形成されている。このＰ＋拡散層５ｄおよびＮ＋拡散層６ｄは、太陽電池セル１ｄの幅方向の両端に達し、且つ所定の間隔をおいて交互に並ぶように形成されている。また、Ｐ＋拡散層５ｄおよびＮ＋拡散層６ｄは互いに幅が異なり、且つともに波形状となるように形成されている。具体的には、Ｐ＋拡散層５ｄは、Ｎ＋拡散層６ｄより幅が広く形成されている。あるいは、Ｐ＋拡散層５ｄは、Ｎ＋拡散層６ｄより幅が狭くなるように形成されていてもよい。
【００６５】
上記の構成では、Ｐ＋拡散層５ｄおよびＮ＋拡散層６ｄの幅が相違しているので、その相違によって、Ｐ＋拡散層５ｄとＮ＋拡散層６ｄとを識別することができる。したがって、その識別によって、太陽電池セル１ｄの実装方向を判別することができる。
【００６６】
また、太陽電池セル１ｃのようにＰ＋拡散層５ｃおよびＮ＋拡散層６ｃが直線状である場合、Ｐ＋拡散層５ｃおよびＮ＋拡散層６ｃのみを見ただけでは、太陽電池セル１ｃの長手方向の位置ずれは認識できても、幅方向のずれを認識することができない。これに対し、太陽電池セル１ｄでは、Ｐ＋拡散層５ｄはＮ＋拡散層６ｄが波形状であるので、Ｐ＋拡散層５ｄおよびＮ＋拡散層６ｄの一部のみを見ただけで幅方向のずれを認識することができる。これにより、太陽電池セル１ｄの実装位置を正確に決定することができる。したがって、太陽電池セル１ｄを制度良く基板に実装することができる。
【００６７】
〈第５の太陽電池セル〉
図６に示すように、第５の太陽電池セル１ｅは、シリコン基板２ｅの実装面側に、複数のＰ＋拡散層５ｅおよびＮ＋拡散層６ｅが形成されている。このＰ＋拡散層５ｅおよびＮ＋拡散層６ｅは、太陽電池セル１ｅの幅方向の両端に達し、且つ所定の間隔をおいて交互に並ぶように形成されている。また、Ｐ＋拡散層５ｅおよびＮ＋拡散層６ｅは、同一の幅を有し、且つ直線状となるように形成されている。
【００６８】
複数のＮ＋拡散層６ｅのうちいずれか１つのＮ＋拡散層６ｅには、中央部分にマーク１１が形成されている。マーク１１は、矩形状であり、平面的または立体的に形成されている。立体的に形成されるマーク１１は、例えば凹部または凸部として形成される。
【００６９】
上記の構成では、１つのＮ＋拡散層６ｅにマーク１１が形成されているので、Ｐ＋拡散層５ｅとＮ＋拡散層６ｅとの相違を識別することができる。したがって、その識別によって、太陽電池セル１ｅの実装方向を判別することができる。
【００７０】
なお、マーク１１は、Ｎ＋拡散層６ｅではなくＰ＋拡散層５ｅに形成されていてもよいし、マーク１１の位置が中央部分からずれていてもよい。また、マーク１１は、Ｐ＋拡散層５ｅおよびＮ＋拡散層６ｅの両方に形成されていてもよい。ただし、この場合、Ｐ＋拡散層５ｅおよびＮ＋拡散層６ｅに形成されるマーク１１の形状はそれぞれ異なっている必
要がある。
【００７１】
〈第６の太陽電池セル〉
図７に示すように、第６の太陽電池セル１ｆは、シリコン基板２ｆの実装面側に、複数のＰ＋拡散層５ｆおよびＮ＋拡散層６ｆが形成されている。このＰ＋拡散層５ｆおよびＮ＋拡散層６ｆは、太陽電池セル１ｆの幅方向の両端に達し、且つ所定の間隔をおいて交互に並ぶように形成されている。また、Ｐ＋拡散層５ｆおよびＮ＋拡散層６ｆは、同一の幅を有し、且つ直線状となるように形成されている。
【００７２】
複数のＮ＋拡散層６ｆのうちいずれか１つのＮ＋拡散層６ｆには、中央部分にマーク１２が形成されている。マーク１２は、三角形状であり、平面的または立体的に形成されている。立体的に形成されるマーク１２は、例えば凹部または凸部として形成される。このマーク１２は、その１つの頂角が太陽電池セル１ｆの長手方向の一方に向くように配置されている。
【００７３】
上記の構成では、１つのＮ＋拡散層６ｆにマーク１１が形成されているので、太陽電池セル１ｅと同様、Ｐ＋拡散層５ｆとＮ＋拡散層６ｆとの相違を識別することができる。したがって、その識別によって、太陽電池セル１ｆの実装方向を判別することができる。しかも、マーク１２の１つの頂角が太陽電池セル１ｆの長手方向の一方に向くので、Ｐ＋拡散層５ｆとＮ＋拡散層６ｆとの相違を識別するまでもなく、マーク１２の形状によって太陽電池セル１ｆの実装方向を判別することができる。
【００７４】
なお、マーク１２は、Ｎ＋拡散層６ｆではなくＰ＋拡散層５ｆに形成されていてもよいし、マーク１２の位置が中央部分からずれていてもよい。また、マーク１２は、Ｐ＋拡散層５ｆおよびＮ＋拡散層６ｆの両方に形成されていてもよい。ただし、この場合、Ｐ＋拡散層５ｆおよびＮ＋拡散層６ｆに形成されるマーク１２の形状はそれぞれ異なっている必要がある。
【００７５】
〈第７の太陽電池セル〉
図８に示すように、第７の太陽電池セル１ｇは、シリコン基板２ｇの実装面側に、複数のＰ＋拡散層５ｇおよびＮ＋拡散層６ｇが形成されている。このＰ＋拡散層５ｇおよびＮ＋拡散層６ｇは、太陽電池セル１ｇの幅方向の両端に達し、且つ所定の間隔をおいて交互に並ぶように形成されている。また、Ｐ＋拡散層５ｇおよびＮ＋拡散層６ｇは、同一の幅を有し、且つ直線状となるように形成されている。
【００７６】
Ｐ＋拡散層５ｇの全てには、中央部分にマーク１３が形成されている。マーク１３は、矩形状であり、平面的または立体的に形成されている。立体的に形成されるマーク１３は、例えば凹部または凸部として形成される。また、マーク１３が形成される位置は中央部分以外であってもよい。
【００７７】
上記の構成では、全てのＰ＋拡散層５ｇにマーク１３が形成されているので、Ｐ＋拡散層５ｇとＮ＋拡散層６ｇとの相違を識別することができる。したがって、その識別によって、太陽電池セル１ｇの実装方向を判別することができる。
【００７８】
なお、マーク１３は、Ｐ＋拡散層５ｇではなくＮ＋拡散層６ｇの全てに形成されていてもよいし、マーク１３の位置が中央部分からずれていてもよい。また、マーク１３は、Ｐ＋拡散層５ｇおよびＮ＋拡散層６ｇの両方に形成されていてもよい。ただし、この場合、Ｐ＋拡散層５ｇおよびＮ＋拡散層６ｇに形成されるマーク１３の形状はそれぞれ異なっている必要がある。
【００７９】
また、第５の太陽電池セル１ｅのように１つのＮ＋拡散層６ｅにマーク１１が形成されている構成では、当該マーク１１が形成されている部分以外の部分を見ただけでは、マーク１１を確認することができないので、太陽電池セル１ｅの長手方向の位置ずれを認識できない。これに対し、第７の太陽電池セル１ｇでは、Ｐ＋拡散層５ｇの全てにマーク１３が形成されているので、マーク１３を確認できる箇所が多くなり、容易に太陽電池セル１ｇの実装方向を判別することができる。
【００８０】
〈第８の太陽電池セル〉
図９に示すように、第８の太陽電池セル１ｈは、シリコン基板２ｈの実装面側に、複数のＰ＋拡散層５ｈおよびＮ＋拡散層６ｈが形成されている。このＰ＋拡散層５ｈおよびＮ＋拡散層６ｈは、所定の間隔をおいて交互に並ぶように形成されている。また、Ｐ＋拡散層５ｈおよびＮ＋拡散層６ｈは、異なる幅を有し、且つ直線状となるように形成されている。
【００８１】
Ｐ＋拡散層５ｈの全ては、それぞれの一端（図９では右側）が統合部１４によって互いに接続されている。一方、Ｎ＋拡散層６ｈの全ては、それぞれの一端（図９では左側）が統合部１５によって互いに接続されている。上記の統合部１４，１５は、太陽電池セル１ｈの長手方向に伸びるように形成されている。また、統合部１４は、その幅が統合部１５と比べて細くなるように形成されている。あるいは、統合部１４は、その幅が統合部１５と比べて太くなるように形成されていてもよい。
【００８２】
上記の構成では、太陽電池セル１ｃと同様、Ｐ＋拡散層５ｈおよびＮ＋拡散層６ｈの幅の相違によって、Ｐ＋拡散層５ｈとＮ＋拡散層６ｈとの相違を識別することができる。したがって、その識別によって、太陽電池セル１ｈの実装方向を判別することができる。また、統合部１４，１５の幅が異なることから、その相違によって、Ｐ＋拡散層５ｈとＮ＋拡散層６ｈとを識別することもできる。
【００８３】
〈実施形態の総括〉
太陽電池セル１ａ，１ｂは、Ｐ＋拡散層５ａ，５ｂおよびＮ＋拡散層６ａ，６ｂが、太陽電池セル１ａ，１ｂの長手方向の一方に向かって曲がった形状に形成されている。それゆえ、Ｐ＋拡散層５ａ，５ｂおよびＮ＋拡散層６ａ，６ｂの曲がった向きによって、太陽電池セル１ａ，１ｂの実装方向を容易に判別することができる。
【００８４】
太陽電池セル１ｃ，１ｄは、それぞれＰ＋拡散層５ｃ，５ｄおよびＮ＋拡散層６ｃ，６ｄの幅が異なっている。これにより、Ｐ＋拡散層５ｃ，５ｄおよびＮ＋拡散層６ｃ，６ｄの幅の相違によって、太陽電池セル１ｃ，１ｄの実装方向を容易に判別することができる。
【００８５】
太陽電池セル１ｅ，１ｆは、１つのＮ＋拡散層６ｅ，６ｆにそれぞれマーク１１，１２が形成されている。また、太陽電池セル１ｇは、全てのＰ＋拡散層５ｇにマーク１３が形成されている。それゆえ、マーク１１〜１３によって、Ｐ＋拡散層５ｅ，５ｆ，５ｇとＮ＋拡散層６ｅ，６ｆ，６ｇとが識別されるので、太陽電池セル１ｅ，１ｆ，１ｇの実装方向を容易に判別することができる。
【００８６】
太陽電池セル１ｈは、Ｐ＋拡散層５ｈを統合して接続する統合部１４と、Ｎ＋拡散層６ｈを統合して接続する統合部１５とを有しており、統合部１４，１５の幅が相違している。それゆえ、統合部１４，１５の幅の相違によって、太陽電池セル１ｈの実装方向を容易に判別することができる。
【００８７】
以上のように、太陽電池セル１ａ〜１ｈは、図２５（ｂ）に示す太陽電池セル１０１と
比べて、特徴的なＰ＋拡散層５およびＮ＋拡散層６の形状により、実装方向を特定することができる。したがって、太陽電池セル１ａ〜１ｈによれば、容易に実装方向の誤りを防止することができる。
【００８８】
なお、前述の各太陽電池セル１ａ〜１ｈについては、Ｐ＋拡散層５およびＮ＋拡散層６の１組を複数備える構成を説明したが、１組のＰ＋拡散層５およびＮ＋拡散層６のみを備える構成においても、上記の実施形態を適用することができる。また、太陽電池セル１ａ〜１ｈは、ウェハが細分化されたものでもよいし、ウェハ状態のものでもよい。
【００８９】
太陽電池セル１ａ〜１ｈのそれぞれのＰ＋拡散層５およびＮ＋拡散層６の構成については、後述の実施の形態２における正電極７および負電極８にも適用できる。
【００９０】
〔実施の形態２〕
本発明の他の実施形態について図１０〜図２０に基づいて説明すると以下の通りである。図１０〜図２０は、第９〜第１９の太陽電池セル１ｉ〜１ｋ，１ｍ，１ｎ，１ｐ〜１ｕの実装面４側、より具体的には、前述のパッシベーション層が形成された後の状態を示している。また、図１０〜図２０に示すように、太陽電池セル１ｉ〜１ｋ，１ｍ，１ｎ，１ｐ〜１ｕは長方形をなしている。
【００９１】
なお、以降の説明において、各太陽電池セル１ｉ〜１ｋ，１ｍ，１ｎ，１ｐ〜１ｕにおける各正電極７ｉ〜７ｋ，７ｍ，７ｎ，７ｐ〜７ｕおよび各負電極８ｉ〜８ｋ，８ｍ，８ｎ，８ｐ〜８ｕについて共通して説明する場合、正電極７および負電極８と称する。
【００９２】
〈第９の太陽電池セル〉
図１０に示すように、第９の太陽電池セル１ｉは、実装面４ｉ上に、複数の正電極７ｉおよび負電極８ｉが形成されている。この正電極７ｉおよび負電極８ｉは、太陽電池セル１ｉの幅方向の両端に達し、且つ所定の間隔をおいて交互に並ぶように形成されている。また、正電極７ｉおよび負電極８ｉは、同一の幅となり、且つ中央部分が太陽電池セル１ｉの長手方向の一方側に向かって屈曲してブーメラン形状をなすように形成されている。
【００９３】
上記の構成では、正電極７ｉおよび負電極８ｉが屈曲しているので、その屈曲する方向によって、太陽電池セル１ｉの実装方向を判別することができる。
【００９４】
〈第１０の太陽電池セル〉
図１１に示すように、第１０の太陽電池セル１ｊは、実装面４ｊ上に、複数の正電極７ｊおよび負電極８ｊが形成されている。この正電極７ｊおよび負電極８ｊは、太陽電池セル１ｊの幅方向の両端に達し、且つ所定の間隔をおいて交互に並ぶように直線状に形成されている。また、正電極７ｊは、負電極８ｊより幅が広くなるように形成されている。あるいは、正電極７ｊが、負電極８ｊより幅が狭くなるように形成されていてもよい。
【００９５】
上記の構成では、正電極７ｊおよび負電極８ｊの幅が相違しているので、その相違によって、正電極７ｊと負電極８ｊとを識別することができる。したがって、その識別によって、太陽電池セル１ｊの実装方向を判別することができる。
【００９６】
〈第１１の太陽電池セル〉
図１２に示すように、第１１の太陽電池セル１ｋは、実装面４ｋ上に、複数の正電極７ｋおよび負電極８ｋが形成されている。この正電極７ｋおよび負電極８ｋは、太陽電池セル１ｋの幅方向の両端に達し、且つ所定の間隔をおいて交互に並ぶように形成されている。また、正電極７ｋおよび負電極８ｋは、同一の幅を有し、且つ直線状となるように形成されている。
【００９７】
複数の負電極８ｋのうちのいずれか１つの負電極８ｋには、両側辺の中央部分から太陽電池セル１ｋの長手方向に突出する２つの突起部１６，１７が形成されている。突起部１６，１７の位置が中央部分からずれていてもよい。また、全ての負電極８ｋの同様な位置に、突起部１６，１７が形成されていてもよい。あるいは、負電極８ｋではなく、複数の正電極７ｋのうちのいずれか１つの正電極７ｋまたは全ての正電極７ｋの同様な位置に、突起部１６，１７が形成されていてもよい。あるいは、正電極７ｋおよび負電極８ｋの両方に突起部１６，１７が形成されていてもよい。ただし、この場合、正電極７ｋおよび負電極８ｋに形成される突起部１６，１７の形状はそれぞれ異なっている必要がある。さらに、突起部１６，１７は、いずれか一方のみが形成されていてもよい。
【００９８】
突起部１６，１７は、ともに三角形状に形成されている。この突起部１６，１７は、三角形状に限らず、他の形状（半円形状、方形状等）に形成されていてもよい。また、突起部１６，１７は、平面的に形成されていてもよいし、立体的（例えば凹凸）に形成されていてもよい。
【００９９】
上記の構成では、正電極７ｋおよび負電極８ｋのいずれか一方に突起部１６，１７が形成されているので、正電極７ｋと負電極８ｋとの相違を識別することができる。したがって、その識別によって、太陽電池セル１ｋの実装方向を判別することができる。
【０１００】
〈第１２の太陽電池セル〉
図１３に示すように、第１２の太陽電池セル１ｍは、実装面４ｍ上に、同一形状の複数の正電極７ｍおよび負電極８ｍが形成されている。この正電極７ｍおよび負電極８ｍは、太陽電池セル１ｍの幅方向の両端に達し、且つ所定の間隔をおいて交互に並ぶように形成されている。また、正電極７ｍおよび負電極８ｍは、同一の幅を有しており、両側が直線状となるように形成されるとともに、中央部分に屈曲部１８を有している。屈曲部１８は、太陽電池セル１ｍの長手方向の一方側に向かって突出するように山型に屈曲している。また、屈曲部１８の位置が中央部分からずれていてもよい。
【０１０１】
上記の構成では、正電極７ｍおよび負電極８ｍの全てに屈曲部１８が設けられているので、屈曲部１８の屈曲する方向によって、太陽電池セル１ｍの実装方向を判別することができる。
【０１０２】
なお、上記の構成では、正電極７ｍおよび負電極８ｍの全てが屈曲部１８を有しているが、少なくとも１つの正電極７ｍまたは負電極８ｍが屈曲部１８を有していて、他の正電極７ｍおよび負電極８ｍが屈曲部１８を有していなくても、同様に太陽電池セル１ｍの実装方向を判別することができる。
【０１０３】
〈第１３の太陽電池セル〉
図１４に示すように、第１３の太陽電池セル１ｎは、実装面４ｎ上に、複数の正電極７ｎおよび負電極８ｎが形成されている。この正電極７ｎおよび負電極８ｎは、太陽電池セル１ｎの幅方向の両端に達し、且つ所定の間隔をおいて交互に並ぶように形成されている。また、正電極７ｎは、同一の幅を有し、且つ直線状となるように形成されている。一方、負電極８ｎは、同一の幅を有し、且つ波形状となるように形成されている。あるいは、これとは逆に、正電極７ｎが波形状に形成され、負電極８ｎが直線状に形成されていてもよい。
【０１０４】
上記の構成では、正電極７ｎおよび負電極８ｎの形状が相違していることから、その相違によって、正電極７ｎと負電極８ｎとの相違を識別することができる。したがって、その識別によって、太陽電池セル１ｎの実装方向を判別することができる。また、負電極８
ｎが波形状に形成されていることから、前述の太陽電池セル１ｄと同様、負電極８ｎの一部を見ただけでも幅方向のずれを認識することができる。
【０１０５】
〈第１４の太陽電池セル〉
図１５に示すように、第１４の太陽電池セル１ｐは、実装面４ｐ上に、複数の正電極７ｐおよび負電極８ｐが形成されている。この正電極７ｐおよび負電極８ｐは、太陽電池セル１ｐの幅方向の両端に達し、且つ所定の間隔をおいて交互に並ぶように形成されている。また、正電極７ｐおよび負電極８ｐは、同一の幅を有し、且つ直線状となるように形成されている。
【０１０６】
正電極７ｐは、片側（太陽電池セル１ｐの長手方向の一方側）に所定の間隔をおいて切欠き部１９が形成されている。一方、負電極８ｎは、片側に所定の間隔をおいて切欠き部２０が形成されている。切欠き部１９，２０は、互いにずれた位置に形成されている。これにより、切欠き部２０が切欠き部１９よりも多く形成されている。
【０１０７】
なお、切欠き部１９，２０は、図示した側と反対側に形成されていてもよい。また、切欠き部１９，２０が形成される位置は、図示した例に対して、正電極７ｐと負電極８ｐとの間で互いに入れ替わっていてもよい。
【０１０８】
上記の構成では、正電極７ｐおよび負電極８ｐのそれぞれの切欠き部１９，２０が異なる位置に形成されていることから、その相違によって、正電極７ｐと負電極８ｐとの相違を識別することができる。したがって、その識別によって、太陽電池セル１ｐの実装方向を判別することができる。
【０１０９】
〈第１５の太陽電池セル〉
図１６に示すように、第１５の太陽電池セル１ｑは、実装面４ｑ上に、複数の正電極７ｑおよび負電極８ｑが形成されている。この正電極７ｑおよび負電極８ｑは、太陽電池セル１ｑの幅方向の両端に達し、且つ所定の間隔をおいて交互に並ぶように形成されている。また、正電極７ｑおよび負電極８ｑは、同一の幅を有し、且つ直線状となるように形成されている。
【０１１０】
正電極７ｑは、前述の太陽電池セル１ｐと異なり、両側（太陽電池セル１ｑの長手方向の両方側）に所定の間隔をおいて切欠き部１９が形成されている。一方、負電極８ｎも、前述の太陽電池セル１ｐと異なり、両側に所定の間隔をおいて切欠き部２０が形成されている。
【０１１１】
なお、太陽電池セル１ｑにおいても、切欠き部１９，２０が形成される位置は、図示した例に対して、正電極７ｑと負電極８ｑとの間で互いに入れ替わっていてもよい。
【０１１２】
上記の構成では、正電極７ｑおよび負電極８ｑのそれぞれの切欠き部１９，２０が異なる位置に形成されていることから、その相違によって、正電極７ｑと負電極８ｑとの相違を識別することができる。したがって、その識別によって、太陽電池セル１ｑの実装方向を判別することができる。
【０１１３】
〈第１６の太陽電池セル〉
図１７に示すように、第１６の太陽電池セル１ｒは、実装面４ｒ上に、複数の正電極７ｒおよび負電極８ｒが形成されている。この正電極７ｒおよび負電極８ｒは、太陽電池セル１ｒの幅方向の両端に達し、且つ所定の間隔をおいて交互に並ぶように形成されている。また、正電極７ｒおよび負電極８ｒは、同一の幅を有し、且つ直線状となるように形成されている。
【０１１４】
正電極７ｒは、前述の太陽電池セル１ｑと同様に、両側（太陽電池セル１ｒの長手方向の両方側）に所定の間隔をおいて切欠き部１９が形成されている。一方、負電極８ｎも、前述の太陽電池セル１ｑと同様に、両側に所定の間隔をおいて切欠き部２０が形成されている。太陽電池セル１ｒでは、切欠き部２０の間隔が太陽電池１ｑと比べて狭い。
【０１１５】
なお、太陽電池セル１ｒにおいても、切欠き部１９，２０が形成される位置は、図示した例に対して、正電極７ｒと負電極８ｒとの間で互いに入れ替わっていてもよい。
【０１１６】
上記の構成では、正電極７ｒおよび負電極８ｒのそれぞれの切欠き部１９，２０が異なる位置に形成されていることから、その相違によって、正電極７ｒと負電極８ｒとの相違を識別することができる。したがって、その識別によって、太陽電池セル１ｒの実装方向を判別することができる。
【０１１７】
また、前述の太陽電池セル１ｑでは、切欠き部１９，２０の間隔がほぼ同じであるのに対し、太陽電池セル１ｒでは、切欠き部２０の間隔が切欠き部１９の間隔より狭い。それゆえ、より一層、正電極７ｒと負電極８ｒとの相違をわかりやすくすることができる。
【０１１８】
〈第１７の太陽電池セル〉
図１８に示すように、第１７の太陽電池セル１ｓは、実装面４ｓ上に、複数の正電極７ｓおよび負電極８ｓが形成されている。この正電極７ｓおよび負電極８ｓは、太陽電池セル１ｓの幅方向の両端に達し、且つ所定の間隔をおいて交互に並ぶように形成されている。また、正電極７ｓおよび負電極８ｓは、同一の幅を有し、且つ直線状となるように形成されている。さらに、正電極７ｓは中央部分で分断されている。正電極７ｓの分断される箇所は中央部分には限定されない。
【０１１９】
上記の構成では、正電極７ｓおよび負電極８ｓの形状が相違していることから、その相違によって、正電極７ｓと負電極８ｓとの相違を識別することができる。したがって、その識別によって、太陽電池セル１ｓの実装方向を判別することができる。また、正電極７ｓが分断されていることから、その分断の位置によって幅方向のずれを認識することができる。
【０１２０】
〈第１８の太陽電池セル〉
図１９に示すように、第１８の太陽電池セル１ｔは、実装面４ｔ上に、複数の正電極７ｔおよび負電極８ｔが形成されている。この正電極７ｔおよび負電極８ｔは、太陽電池セル１ｔの幅方向の両端に達し、且つ所定の間隔をおいて交互に並ぶように形成されている。また、正電極７ｔおよび負電極８ｔは、同一の幅を有し、且つ直線状となるように形成されている。
【０１２１】
正電極７ｔの全てには、中央部分にマーク２１が形成されている。マーク２１は、矩形状であり、平面的または立体的に形成されている。立体的に形成されるマーク２１は、例えば凹部または凸部として形成される。
【０１２２】
なお、マーク２１は、正電極７ｔではなくＮ＋拡散層６ｇの全てに形成されていてもよいし、マーク２１の位置が中央部分からずれていてもよい。また、マーク２１の形状は矩形以外の形状であってもよい。さらに、マーク２１は、正電極７ｔおよび負電極８ｔの両方に形成されていてもよい。ただし、この場合、正電極７ｔおよび負電極８ｔに形成されるマーク２１の形状はそれぞれ異なっている必要がある。
【０１２３】
上記の構成では、全ての正電極７ｔにマーク２１が形成されているので、正電極７ｔと
負電極８ｔとの相違を識別することができる。したがって、その識別によって、太陽電池セル１ｔの実装方向を判別することができる。
【０１２４】
〈第１９の太陽電池セル〉
図２０に示すように、第１９の太陽電池セル１ｕは、実装面４ｕ上に、複数の正電極７ｕおよび８ｕが形成されている。この正電極７ｕおよび負電極８ｕは、所定の間隔をおいて交互に並ぶように形成されている。また、正電極７ｕおよび負電極８ｕは、異なる幅を有し、且つ直線状となるように形成されている。
【０１２５】
正電極７ｕの全ては、それぞれの一端（図２０では右側）が統合部２２によって互いに接続されている。一方、負電極８ｕの全ては、それぞれの一端（図２０では左側）が統合部２３によって互いに接続されている。上記の統合部２２，２３は、太陽電池セル１ｕの長手方向に伸びるように形成されている。また、統合部２２は、その幅が統合部２３と比べて細くなるように形成されている。あるいは、統合部２２は、その幅が統合部２３と比べて太くなるように形成されていてもよい。
【０１２６】
上記の構成では、第１０の太陽電池セル１ｊと同様、正電極７ｕおよび負電極８ｕの幅の相違によって、正電極７ｕと負電極８ｕとの相違を識別することができる。したがって、その識別によって、太陽電池セル１ｕの実装方向を判別することができる。また、統合部２２，２３の幅が異なることから、その相違によって、正電極７ｕと負電極８ｕとの相違を識別することもできる。
【０１２７】
〈実施形態の総括〉
太陽電池セル１ｉは、正電極７ｉおよび負電極８ｉが、太陽電池セル１ｉの長手方向の一方に向かって曲がった形状に形成されている。それゆえ、正電極７ｉおよび負電極８ｉの曲がった向きによって、太陽電池セル１ｉの実装方向を容易に判別することができる。
【０１２８】
太陽電池セル１ｊは、正電極７ｊおよび負電極８ｊの幅が異なっている。これにより、正電極７ｊおよび負電極８ｊの幅の相違によって、太陽電池セル１ｊの実装方向を容易に判別することができる。
【０１２９】
太陽電池セル１ｋは、負電極８ｋに突起部１６，１７が形成されている。それゆえ、突起部１６，１７によって、正電極７ｋと負電極８ｋとが識別される。また、太陽電池セル１ｍは、正電極７ｍおよび負電極８ｍに屈曲部１８が設けられている。それゆえ、屈曲部１８によって、正電極７ｍと負電極８ｍとが識別される。したがって、太陽電池セル１ｋ，１ｍの実装方向を容易に判別することができる。
【０１３０】
太陽電池セル１ｎは、正電極７ｎと負電極８ｎとの形状が異なっているので、その相違によって正電極７ｎと負電極８ｎとが識別される。これにより、太陽電池セル１ｎの実装方向を容易に判別することができる。
【０１３１】
太陽電池セル１ｐ，１ｑ，１ｒは、正電極７ｐ，７ｑ，７ｒおよび負電極８ｐ，８ｑ，８ｒにそれぞれ位置の異なる切欠き部１９，２０が形成されている。それゆえ、切欠き部１９，２０によって、正電極７ｐ，７ｑ，７ｒと負電極８ｐ，８ｑ，８ｒとが識別される。したがって、太陽電池セル１ｐ，１ｑ，１ｒの実装方向を容易に判別することができる。
【０１３２】
太陽電池セル１ｓは正電極７ｓが分断されている。また、太陽電池セル１ｔは正電極７ｔにマーク２１が形成されている。それゆえ、分断箇所やマーク２１によって、正電極７ｐｓ，７ｔと負電極８ｓ，８ｔとが識別される。したがって、太陽電池セル１ｓ，１ｔの
実装方向を容易に判別することができる。
【０１３３】
太陽電池セル１ｕは、正電極７ｕを統合して接続する統合部２２と、負電極８ｕを統合して接続する統合部２３とを有しており、統合部２２，２３の幅が相違している。それゆえ、統合部２２，２３の幅の相違によって、太陽電池セル１ｕの実装方向を容易に判別することができる。
【０１３４】
以上のように、太陽電池セル１ｉ〜１ｋ，１ｍ，１ｎ，１ｐ〜１ｕは、図２５（ｂ）に示す太陽電池セル１０１と比べて、特徴的な正電極７および負電極８の形状により、実装方向を特定することができる。したがって、太陽電池セル１ｉ〜１ｋ，１ｍ，１ｎ，１ｐ〜１ｕによれば、容易に実装方向の誤りを防止することができる。
【０１３５】
なお、前述の各太陽電池セル１ｉ〜１ｋ，１ｍ，１ｎ，１ｐ〜１ｕについては、正電極７および負電極８の１組を複数備える構成を説明したが、１組の正電極７および負電極８のみを備える構成においても、上記の実施形態を適用することができる。また、太陽電池セル１ｉ〜１ｋ，１ｍ，１ｎ，１ｐ〜１ｕは、ウェハが細分化されたものでもよいし、ウェハ状態のものでもよい。
【０１３６】
太陽電池セル１ｉ〜１ｋ，１ｍ，１ｎ，１ｐ〜１ｕのそれぞれの正電極７および負電極８の構成については、前述の実施の形態１におけるＰ＋拡散層５およびＮ＋拡散層６にも適用できる。
【０１３７】
〔実施の形態３〕
本発明の他の実施形態について図１および図２１に基づいて説明すると以下の通りである。図２１は、第２０の太陽電池セル１ｖの実装面４ｖ側、より具体的には、前述のパッシベーション層が形成された後の状態を示している。また、図２１に示すように、太陽電池セル１ｖは長方形をなしている。
【０１３８】
〈第２０の太陽電池セル〉
図２１に示すように、第２０の太陽電池セル１ｖは、実装面４ｖ上に、複数の正電極７ｖおよび負電極８ｖが形成されている。この正電極７ｖおよび負電極８ｖは、太陽電池セル１ｖの幅方向の両端に達し、且つ所定の間隔をおいて交互に並ぶように形成されている。また、正電極７ｖおよび負電極８ｖは、同一の幅を有し、且つ直線状となるように形成されている。
【０１３９】
実装面４ｖ（パッシベーション層）上には、任意の隣り合う正電極７ｖと負電極８ｖとの間の領域にマーク２４が形成されている。マーク２４は、三角形状であり、平面的または立体的に形成されている。立体的に形成されるマーク２４は、例えば凹部または凸部として形成される。このマーク２４は、その１つの頂角が太陽電池セル１ｖの長手方向の一方に向くように配置されている。マーク２４の形状は、三角形に限定されないが、太陽電池セル１ｖの長手方向の一方が識別できる形状であることが好ましい。
【０１４０】
上記の構成では、実装面４ｖにマーク２４が形成されているので、太陽電池セル１ｖの長手方向の一方を特定することができる。したがって、マーク２４の形状によって太陽電池セル１ｖの実装方向を判別することができる。また、マーク２４が、太陽電池セル１ｖの長手方向の中央部分からずれた配置されることにより、その位置によっても、太陽電池セル１ｖの実装方向を判別することができる。
【０１４１】
このように、太陽電池セル１ｖは、図２５（ｂ）に示す太陽電池セル１０１と比べて、外観上で実装方向を判別することができる。したがって、太陽電池セル１ｖによれば、容
易に実装方向の誤りを防止することができる。
【０１４２】
〈第２１の太陽電池セル〉
図１に示すように、実装面４を構成するパッシベーション層には、前述のように正電極７および負電極８を形成するための開口部４１，４２がそれぞれ形成されている。したがって、正電極７および負電極８を形成する前の段階では、開口部４１，４２を確認することができる。そこで、第２１の太陽電池セルでは、この開口部４１，４２の間で形状または大きさの少なくとも１つを異ならせることにより、Ｐ＋拡散層５とＮ＋拡散層６との相違点を開口部４１，４２によって認識することができる。図１に示す太陽電池セル１では、開口部４１，４２が同じ矩形に形成されているが、開口部４１が開口部４２より大きく形成されている。
【０１４３】
〔実施の形態４〕
本発明の他の実施形態について図２２〜図２４に基づいて説明すると以下の通りである。図２２の（ａ）は、太陽電池モジュール５１の構成を示す平面図であり、図２２の（ｂ）は図２２の（ａ）におけるＡ−Ａ線矢視断面であり、図２２の（ｃ）は図２２の（ａ）におけるＢ−Ｂ線矢視断面である。図２３の（ａ）は、その太陽電池モジュール５１を搭載した携帯電話６１の構成を示す平面図であり、図２３の（ｂ）は携帯電話６１の裏面である。図２４の（ａ）および（ｂ）は、その携帯電話６１の開いた状態を示している。
【０１４４】
図２２の（ａ）〜（ｃ）に示すように、本実施の形態に係る太陽電池モジュール５１（電気部品）は、太陽電池セル１、実装基板５２、ソルダーレジスト５３、実装配線５４、導電性ペースト５５および封止樹脂５６を備えている。
【０１４５】
このような太陽電池モジュール５１において、実装基板５２上には、ソルダーレジスト５３と実装配線５４とが同層に形成されている。実装配線５４上には、Ａｇペーストのような導電性ペースト５５が形成されている。ここでは、導電性ペースト５５を用いているが、その代わりに半田を用いてもよい。
【０１４６】
太陽電池セル１は、その実装面（図１に示す実装面４に対応）に設けられたセル裏面電極１１（図１に示す正電極７および負電極８に対応）が導電性ペースト５５に接続されることにより、実装基板５２上に複数配列された状態で実装される。また、実装基板５２上には、太陽電池セル１を含んで実装面の全体を覆うように、透明樹脂からなる封止樹脂５６が保護層として形成される。
【０１４７】
上記の太陽電池セル１としては、前述の各太陽電池セル１ａ〜１ｋ，１ｍ，１ｎ，１ｐ〜１ｖのいずれかが用いられる。これにより、太陽電池セル１を実装基板５２上に実装するときに、太陽電池セル１の実装面４がカメラによって撮像され、その映像におけるＰ＋拡散層５およびＮ＋拡散層６または正電極７および負電極８の形状によって、実装方向が正しく判別される。したがって、太陽電池セル１の実装方向が誤っている場合、エラーとして作業者に通知することができる。作業者は、それに応じて正しく太陽電池セル１の実装方向を正しい方向に改めることができるので、誤実装を防止することが可能となる。
【０１４８】
図２３の（ａ）および（ｂ）に示すように、携帯電話６１（電子機器）は、第１筐体６２、第２筐体６３およびヒンジ６４を備えている。
【０１４９】
第１筐体６２は、電池、カメラ、キー等が設けられている操作部分の本体である。第２筐体６３は、表示パネルが内側に設けられている表示部分である。また、第２筐体６３の外側面には、前述の太陽電池モジュール５１が組み込まれている（搭載されている）。第１筐体６２と第２筐体６３とは、ヒンジ６４によって回動自在に結合されている。これに
より、携帯電話６１は、図２４の（ａ）および（ｂ）に示すように、第２筐体６３が第１筐体６２に対して回動限界位置まで開閉自在となる。
【０１５０】
なお、前述の太陽電池モジュール５１は、電子機器としての携帯電話６１の電源として用いられるが、他の電子機器の電源として使用されてもよいし、他の電子機器に組み込んで使用されてもよい。
【０１５１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１５２】
本発明の太陽電池部品は、家庭用太陽電池モジュール、産業用太陽光発電システムなどの設置型のものから、携帯電話やノートパソコン等の携帯型電子機器に好適に用いることができる。また、本発明の太陽電池部品は、車載用のモジュール等にも好適に用いることができる。
【符号の説明】
【０１５３】
１  太陽電池セル（太陽電池）
１ａ〜１ｋ，１ｍ，１ｎ，１ｐ〜１ｖ  太陽電池セル（太陽電池）
２  シリコン基板
２ａ〜２ｈ  シリコン基板
３  受光面
４  実装面
４ｉ〜４ｋ，４ｍ，４ｎ，４ｐ〜４ｖ  実装面
５  Ｐ＋拡散層
５ａ〜５ｈ  Ｐ＋拡散層
６  Ｎ＋拡散層
６ａ〜６ｈ  Ｎ＋拡散層
７  正電極
７ｉ〜７ｋ，７ｍ，７ｎ，７ｐ〜７ｖ  正電極
８  負電極
８ｉ〜８ｋ，８ｍ，８ｎ，８ｐ〜８ｖ  負電極
１１〜１３  マーク
１４，１５  統合部
１６，１７  突起部
１８  屈曲部
１９，２０  切欠き部
２１  マーク
２２，２３  統合部
２４  マーク
５１  太陽電池モジュール（電気部品）
６１  携帯電話（電子機器）
【図１】
2011151305.tif 000003
【図２】
2011151305.tif 000004
【図３】
2011151305.tif 000005
【図４】
2011151305.tif 000006
【図５】
2011151305.tif 000007
【図６】
2011151305.tif 000008
【図７】
2011151305.tif 000009
【図８】
2011151305.tif 000010
【図９】
2011151305.tif 000011
【図１０】
2011151305.tif 000012
【図１１】
2011151305.tif 000013
【図１２】
2011151305.tif 000014
【図１３】
2011151305.tif 000015
【図１４】
2011151305.tif 000016
【図１５】
2011151305.tif 000017
【図１６】
2011151305.tif 000018
【図１７】
2011151305.tif 000019
【図１８】
2011151305.tif 000020
【図１９】
2011151305.tif 000021
【図２０】
2011151305.tif 000022
【図２１】
2011151305.tif 000023
【図２２】
2011151305.tif 000024
【図２３】
2011151305.tif 000025
【図２４】
2011151305.tif 000026
【図２５】
2011151305.tif 000027